(57)【要約】      （修正有）【課題】一部重複域を有する複数のレーザ露光部を備えた画像形成装置において、コストの大幅な増大を引き起こすことなく、また、煩雑な調整やメンテナンスを行うことなく、一部重複域において露光ビームのラインのずれを低減することができる。【解決手段】各露光ビームの周期的な走査を検出する同期センサ１１７、１２７、１３７と、一方のレーザ露光部１１の露光ビームの走査基準の一周期Ｔ１に対して他方のレーザ露光部１２、１３の露光ビームの検出タイミングが走査基準の一周期Ｔ１の前半か後半かを判断する判定部２４５（判断手段）と、判定部２４５によって検出タイミングが走査基準の一周期Ｔ１の後半であると判断されたとき、変調のための画像データを１走査線分だけずらして他方のレーザ露光部１２、１３に出力させるタイミング制御部２４０とを備えた。【選択図】図２
2008207524.tif 000002
【特許請求の範囲】
【請求項１】
第１の方向における所定の走査領域に対し、露光ビームを分担して周期的に走査する複数のレーザ露光部と、前記各レーザ露光部の露光ビームを、前記分担走査域に対応して分割された画像データでそれぞれ対応する１走査線毎に変調する画像形成手段とを備えた画像形成装置において、
互いに隣接するレーザ露光部の各露光ビームの周期的な走査を検出する同期センサと、前記互いに隣接するレーザ露光部の内の一方のレーザ露光部の露光ビームの走査一周期に対して他方のレーザ露光部の露光ビームの検出タイミングが前記走査一周期の前半か後半かを判断する判断手段と、前記判断手段によって前記検出タイミングが前記走査一周期の後半であると判断されたとき、前記変調のための画像データを１走査線分だけずらして前記他方のレーザ露光部に出力させるタイミング制御手段とを備えた画像形成装置。
【請求項２】
前記各レーザ露光部は、前記露光ビームを周期的に走査させるべく周方向に複数の反射面を備えたポリゴンミラーと、このポリゴンミラーを定速回転させるポリゴンドライバとを有し、前記各同期センサは、互いに隣接する反射面から対応するレーザ露光部の露光ビームを前記分担する走査域のすぐ外方の適所で検出するものであり、前記一周期は、前記互いに隣接する反射面から反射される露光ビームの検出時間間隔である請求項１記載の画像形成装置。
【発明の詳細な説明】
【技術分野】
【０００１】
本発明は、所定の走査領域を複数のレーザ露光部の露光ビームで分担して走査する画像形成装置に関する。
【背景技術】
【０００２】
レーザ発光源からのレーザ光をポリゴンミラーを用いて偏向させることで感光材上を露光走査すると共に、このレーザ光をＡＯＭ（音響光学変換素子）を用いて写真等の画像データで変調することで感光材上に写真画像を形成するレーザ露光部を備えた画像形成装置が知られている。
【０００３】
近年、かかる画像形成装置を用いてポスター等、比較的大サイズの写真プリントを作成する要請がある。すなわち、広幅の感光材の幅方向全領域にレーザ光を走査させる必要があり、そのためには、ポリゴンミラーで偏向されたレーザ光をより広い領域で走査させる方法や走査領域を複数のレーザ露光部で分担する方法が考えられる。前者の方法は、ポリゴンミラーから感光材への露光位置までの距離を長くする必要があり、光路長方向に装置の大型化を招来する。さらに、ｆθレンズは光学的精度が求められることから、大サイズのものを採用すると、勢い高価となり、コストアップを招く。
【０００４】
特許文献１には、後者の、走査領域を複数のレーザ露光部で分担する画像形成装置が記載されている。このように構成すれば、装置の光路長方向の大型化はほとんどないという利点があるが、複数のレーザ露光部の間に発生する画像のずれを補正する必要がある。特許文献１では、副走査方向の１ドット未満のズレの補正を各レーザーユニットのポリゴンミラーの回転位相を調整することで複数のレーザ露光部の間に発生する画像のずれを精度良く補正できるように構成されている。
【特許文献１】特開２０００−２４１７４０号公報
【発明の開示】
【発明が解決しようとする課題】
【０００５】
しかしながら、上述の特許文献１に開示された装置では、各レーザーユニットのポリゴンミラーの回転位相を調整するために、回転速度を調整するという複雑な制御とそのためのコントローラが別途必要になるなど、製造に係るコストの大幅な増大を引き起こすという問題がある。
【０００６】
しかも、このような複雑な制御は、回転位相のずれが発生するたびに、手間がかかる調整やメンテナンスを行わなければならないという問題があった。
【０００７】
本発明は上記問題に鑑みてなされたものであり、製造に係るコストの大幅な増大を引き起こすことなく、また、煩雑な調整やメンテナンスを行うことなく、一部重複域において、露光ビームのラインのずれを画像処理上で低減することができる画像形成装置を提供することを目的とするものである。
【課題を解決するための手段】
【０００８】
請求項１に記載の発明は、第１の方向における所定の走査領域に対し、露光ビームを分担して周期的に走査する複数のレーザ露光部と、前記各レーザ露光部の露光ビームを、前記分担走査域に対応して分割された画像データでそれぞれ対応する１走査線毎に変調する画像形成手段とを備えた画像形成装置において、互いに隣接するレーザ露光部の各露光ビームの周期的な走査を検出する同期センサと、前記互いに隣接するレーザ露光部の内の一方のレーザ露光部の露光ビームの走査一周期に対して他方のレーザ露光部の露光ビームの検出タイミングが前記走査一周期の前半か後半かを判断する判断手段と、前記判断手段によって前記検出タイミングが前記走査一周期の後半であると判断されたとき、前記変調のための画像データを１走査線分だけずらして前記他方のレーザ露光部に出力させるタイミング制御手段とを備えた画像形成装置である。
【０００９】
この構成によれば、判断手段により、互いに隣接するレーザ露光部の内の一方のレーザ露光部の露光ビームの走査一周期に対して他方のレーザ露光部の露光ビームの検出タイミングが走査一周期の前半か後半かが判断される。そして、検出タイミングが走査一周期の後半であると判断されたとき、タイミング制御手段により、変調のための画像データが１走査線分だけずらされて他方のレーザ露光部に出力される。すなわち、互いに隣接するレーザ露光部において、一方のレーザ露光部の感光材上のラインが１／２ライン以内のずれで走査されるのであれば、両方のレーザ露光部から同一ラインに対する１走査線分の画像データがそれぞれそのまま出力され、１／２以上ずれて走査されるのであれば、他方のレーザ露光部の１走査線分の画像データは、１ライン分ずらして出力される結果、レーザ露光部毎の走査の同期タイミングのずれを実質的に１／２ライン以内となるように制御することが出来る。
【００１０】
このように、基準の走査タイミングに対して、同じラインで出力するか、前後のラインで出力するかを制御するだけで同期ずれ量を常に１／２ライン以内にすることができるので、製造に係るコストの大幅な増大を引き起こすことなく、また、煩雑な調整やメンテナンスを行うことなく、一部重複域において、露光ビームのラインのずれにより画像むらが目立つのを低減することができるようになる。
【００１１】
請求項２記載の発明は、請求項１記載の画像形成装置において、前記各レーザ露光部は、前記露光ビームを周期的に走査させるべく周方向に複数の反射面を備えたポリゴンミラーと、このポリゴンミラーを定速回転させるポリゴンドライバとを有し、前記各同期センサは、互いに隣接する反射面から対応するレーザ露光部の露光ビームを前記分担する走査域のすぐ外方の適所で検出するものであり、前記一周期は、前記互いに隣接する反射面から反射される露光ビームの検出時間間隔であることを特徴としている。
【００１２】
この構成によれば、ポリゴンドライバにより、各レーザ露光部において周方向に複数の反射面を備えたポリゴンミラーが定速回転され、ポリゴンミラーにより、露光ビームが周期的に走査される。そして、各同期センサにより、互いに隣接する反射面から反射される露光ビームの時間間隔が検出されて一周期が検出される。従って、ポリゴンミラー回転同期のずれに起因するラインのずれにより画像むらが目立つのを画像データの出力制御によって低減することができるようになる。
【発明の効果】
【００１３】
請求項１記載の発明によれば、判断手段により、互いに隣接するレーザ露光部の内の一方のレーザ露光部の露光ビームの走査一周期に対して他方のレーザ露光部の露光ビームの検出タイミングが走査一周期の前半か後半かが判断される。そして、検出タイミングが走査一周期の後半であると判断されたとき、タイミング制御手段により、変調のための画像データが１走査線分だけずらされて他方のレーザ露光部に出力される。すなわち、互いに隣接するレーザ露光部において、一方のレーザ露光部の感光材上のラインが１／２ライン以内のずれで走査されるのであれば、両方のレーザ露光部から同一ラインに対する１走査線分の画像データがそれぞれそのまま出力され、１／２以上ずれて走査されるのであれば、他方のレーザ露光部の１走査線分の画像データは、１ライン分ずらして出力される結果、レーザ露光部毎の走査の同期タイミングのずれを実質的に１／２ライン以内となるように制御することが出来る。
【００１４】
このように、基準の走査タイミングに対して、同じラインで出力するか、前後のラインで出力するかを制御するだけで同期ずれ量を常に１／２ライン以内にすることができるので、製造に係るコストの大幅な増大を引き起こすことなく、また、煩雑な調整やメンテナンスを行うことなく、一部重複域において、露光ビームのラインのずれにより画像むらが目立つのを低減することができるようになる。
【００１５】
請求項２記載の発明によれば、ポリゴンドライバにより、各レーザ露光部において周方向に複数の反射面を備えたポリゴンミラーが定速回転され、ポリゴンミラーにより、露光ビームが周期的に走査される。そして、各同期センサにより、互いに隣接する反射面から反射される露光ビームの時間間隔が検出されて一周期が検出される。従って、ポリゴンミラー回転同期のずれに起因するラインのずれにより画像むらが目立つのを画像データの出力制御によって低減することができるようになる。
【発明を実施するための最良の形態】
【００１６】
図１は、本発明に係る画像形成装置の一実施形態を示す写真処理装置１の全体構成図である。写真処理装置１は、例えば図略のスキャナでフィルムの各コマの撮影像を取り込んで得られた画像データ、あるいはコンピュータや外部メモリなどから転送されてきた画像データに基づいて、写真感光材である感光材Ｐを露光してこの感光材Ｐ上に所定の画像を形成するレーザ露光ユニット１０を備える。レーザ露光ユニット１０は、写真処理装置１のハウジング１ａの内部１ｂにおける、感光材Ｐを搬送するコンベア２上の露光位置と対向する位置に配設されている。コンベア（感光材搬送部）２は、搬送方向に沿って配置された複数組の搬送ローラ対２ａ並びにガイドレール２ｂなどで構成されている。
【００１７】
また、ハウジング１ａの上面には、ロール状に巻回された感光材Ｐをそれぞれ収納する複数のマガジン、例えばマガジン３及び４が設けられている。マガジン３及び４に収納されている感光材Ｐの種類を検出するために、センサ３ａ及び４ａが、それぞれマガジン３及び４とハウジング１ａの上面とに対向配置されている。センサ３ａ及び４ａは、例えばマガジン３、４側に所定ビットのコードを表現するための複数個のマグネットがライン配置され、ハウジング１ａ側で、このビットコードを認識する磁気センサ部を備えてなるものである。さらに、ハウジング１ａの上面には、必要に応じて露光後のテストチャートを読み取り、Ｒ、Ｇ、Ｂ各色（各光）に対する濃度の測定値を測定検査等に供する測色計５が設けられている。
【００１８】
ハウジング１ａ、マガジン３及び４はそれぞれ暗箱であり、感光材Ｐの先端部は、それぞれマガジン３及び４からハウジング１ａの内部１ｂに引き出されている。感光材Ｐは、ハウジング１ａの内部１ｂに設けられたカッタ６により所定の大きさ（長さ）に切断される。以下、所定の長さに切断された感光材Ｐを感光材片Ｐ１という。感光材片Ｐ１は、ハウジング１ａの内部１ｂにおいて、コンベア２によって露光位置から現像ユニット７へ、さらに下流へ搬送される。
【００１９】
現像ユニット７は、それぞれ現像液、定着液、漂白液及び安定化液を収容するための複数のタンク７ａ、７ｂ、７ｃ、７ｄを有している。レーザ露光ユニット１０によって露光された感光材片Ｐ１が現像ユニット７を搬送されると潜像が現像され、感光材片Ｐ１の感光面上に画像が形成される。画像の形成された感光材片Ｐ１は、乾燥ユニット８によって乾燥されてハウジング１ａの内部１ｂから排出される。排出された感光材片Ｐ１は、ハウジング１ａの上面に設けられたソータ９上に積載される。
【００２０】
写真処理装置１は、ハウジング１ａに設けられた制御ユニット２０の他、この制御部２０と接続される、ＣＲＴやＬＣＤなどのモニタ３１、キーボード３２及びマウス３３を有し、内部にマイクロコンピュータ等の制御部を備える端末部３０を備え、これらによって、ユーザは所定の命令（コマンド）やデータを入力したり、感光材Ｐの現像に関する情報を確認することができる。端末部３０は、写真処理装置１のハウジング１ａとは別に設けられてもよいし、ハウジング１ａと一体に設けられてもよい。
【００２１】
図２は、レーザ露光ユニットの構成の一例を示す図である。レーザ露光ユニット１０は、本実施形態では３台のレーザ露光部１１、１２、１３から構成され、それぞれは例えば箱形を有する各筐体内に個別に収納されている。３台のレーザ露光部１１、１２、１３は同一構成を有する。以下では、レーザ露光部１１を代表にして説明する。
【００２２】
レーザ露光部１１はそれぞれ固有の波長を有する、光の３原色であるＲ（赤）、Ｇ（緑）、Ｂ（青）波長帯のレーザ光を出力する３個のレーザ光源１１０Ｒ、１１０Ｇ及び１１０Ｂを備える。
【００２３】
また、レーザ露光部１１は、レーザ光源１１０Ｒ、１１０Ｇ及び１１０Ｂからの各レーザ光の各光路上に、集光レンズを介して音響光学変調素子（Acousto-Optic Modulator）などの光変調素子（以降、ＡＯＭという）１１１Ｒ、１１１Ｇ及び１１１Ｂが配設され、その下流側にスリット板を介してミラー１１２Ｒ、１１２Ｇ、１１２Ｂが配設されている。ミラー１１２Ｒ、１１２Ｇ、１１２Ｂ及びミラー１１３は、レーザ光源１１０Ｒ、１１０Ｇ及び１１０Ｂから出射されたレーザ光をポリゴンミラー１１５の方向に反射させるものである。
【００２４】
ミラー１１２Ｒは全反射ミラーであり、レーザ光源１１０Ｒから出力された赤色レーザ光をミラー１１２Ｇ側に反射する。ミラー１１２Ｇはハーフミラーであり、赤色レーザ光を透過させると共に、レーザ光源１１０Ｇから出力された緑色レーザ光をミラー１１２Ｂ側に反射する。ミラー１１２Ｂはハーフミラーであり、赤色レーザ光及び緑色レーザ光を透過させると共に、レーザ光源１１０Ｂから出力された青色レーザ光をミラー１１３側に反射する。３本のレーザ光はミラー１１２Ｂで重畳（合波）される。
【００２５】
ポリゴンミラー１１５は、パルスモータ等のポリゴンドライバ１１４によって例えば矢印で示す方向に一定速度（例えば１万〜２万ｒｐｍ）で回転しており、レーザ光を所定の範囲の方向に反射する。このポリゴンミラー１１５は、周方向に所定枚数の反射面（ミラー）が均等配置されており、入光してくるレーザー光を回転中の反射面から各反射面ごとに順番に所定方向に反射（偏向）するように構成されている。ポリゴンミラー１１５の前方にはｆθレンズ１１６が設けられており、ポリゴンミラー１１５とｆθレンズ１１６とで、感光材片Ｐ１上、レーザビームを矢印Ａで示す主走査方向に等速で偏向させる。感光材片Ｐ１は、コンベア２によって図２の紙面に対して垂直な方向に搬送される。従って、光変調されたレーザ光の走査によって感光材片Ｐ１の感光面が幅方向に露光される。
【００２６】
レーザ露光部１２、１３も同様に感光材片Ｐ１の幅方向の所定領域に光変調されたレーザ光を走査する。各レーザ露光部１１、１２、１３からのレーザ光の走査は同一ライン状（あるいは千鳥状）となるように光軸が平行に設定され、かつ走査範囲が感光材片Ｐ１上で一部重複するように設定されている（図２参照）。
【００２７】
さらに、ｆθレンズ１１６の出射側であって、画像露光領域の直近の主走査方向Ａの上流側には、レーザ光を同期センサ１１７側に反射するためのミラー１１８が設けられている。
【００２８】
同期センサ１１７は、互いに隣接する反射面から対応するレーザ露光部の露光ビームを分担する走査域のすぐ外方の適所で検出するものであり、例えばフォトダイオード（ＰＤ）等の受光素子などで構成され、例えば赤色のレーザ光あるいは３色全てを受光することにより、画像の露光開始のための同期信号を出力する。
【００２９】
レーザ露光部１１は、各レーザ光の強度がそれぞれ一定となるように設定されている。レーザ光源１１０Ｒ、１１０Ｇ、１１０Ｂから出射された各レーザ光の強度は、画像データを構成するＲ、Ｇ及びＢの各成分の濃度階調に応じて、それぞれＡＯＭ１１１Ｒ、１１１Ｇ、１１１Ｂによって強度が変調される。
【００３０】
写真処理装置１は、全体の動作を制御するためのＣＰＵなどからなる主制御部２００を備える。主制御部２００には、画像処理部２０３、画像データの入出力タイミングを制御するタイミング制御部２４０、及び内部にポリゴン用クロック発生器２５０ａを備えてポリゴンドライバ１１４（１２４、１３４）に対する回転制御指示を行うポリゴン制御部２５０が接続されている。
【００３１】
レーザ駆動部１１０は、主制御部２００とレーザ光源１１０Ｒ、１１０Ｇ、１１０Ｂとの間に接続されており、レーザ光源１１０Ｒ、１１０Ｇ、１１０Ｂから出力されるレーザビームの出射強度を所定の一定レベルに維持制御するものである。
【００３２】
画像処理部２０３は、プリントするべき各色の画像データの主走査方向での分割処理及び各画像データに対する必要な階調濃度補正処理、及び必要な補正処理後の画像データの一時的な記憶を行うものである。画像データは、例えば１枚の写真画像データであり、ＲＧＢ各色毎に、１ラインを構成する複数の画素データを複数ライン分有する二次元の画像データである。そして、画像処理部２０３はライン毎の各色の画像データをタイミング制御部２４０からのクロック信号を受けて１ライン分の画像データを順次１画素ずつ画像転送部２１０、ここではラインメモリ２１１Ｒ、２１１Ｇ、２１１Ｂへ出力する。
【００３３】
ラインメモリ２１１Ｒ、２１１Ｇ、２１１Ｂはタイミング制御部２４０からのクロック信号を受けて、各色の１ライン分の画像データをシリアルに記憶すると共に、同期センサ１１７からの検出信号に基づいて開始されるレーザ光による感光材への露光動作と同期して１画素ずつ順次に読み出すものである。
【００３４】
ＡＯＭドライバ２１２Ｒ、２１２Ｇ、２１２Ｂは、各色の画素データの階調濃度データに応じてＡＯＭ１１１Ｒ、１１１Ｇ、１１１Ｂを通過する各色のレーザ光の強度を変調するように制御するものである。ＡＯＭ１１１Ｒ、１１１Ｇ、１１１Ｂは、図略の音響光学素子、超音波振動子及び光変調素子駆動部などで構成される。光変調素子駆動部から供給された駆動信号により超音波振動子が駆動されると、音響光学素子の内部に回折格子として機能する周期的な屈折率の変化が生じる。レーザ光がＡＯＭ１１１Ｒ、１１１Ｇ、１１１Ｂに入射されると、レーザ光は超音波振動により生じた回折格子によるブラッグ反射によって回折され、０次回折光及び１次回折光として出射する。０次回折光はスリット板の壁によりシールドされ、１次回折光がスリット板を通過してミラー１１２Ｒ、１１２Ｇ、１１２Ｂに入射する。
【００３５】
タイミング制御部２４０は、コンベア２により所定速度で搬送される感光材片Ｐ１の先端が写真プリントを開始する位置（露光開始位置）まで搬送されてきたことをペーパー位置センサ２ｃからの検出信号で検出すると、露光動作を開始する。また、タイミング制御部２４０は、ポリゴンドライバ１１４からの図略のロータリーエンコーダ等の回転量検出手段からの回転パルスのパルス周期を検出し、パルス周期が安定している、すなわちポリゴンミラー１１５が定速回転していることを確認するものである。さらに、タイミング制御部２４０は、ペーパー位置センサ２ｃからの検出信号が入力され、かつポリゴンミラー１１５が定速回転していることの確認後、同期センサ１１７、１２７、１３７からの各検出信号（本実施形態ではＲ色のレーザ光の検出）を受ける毎に、所定のタイミングでラインメモリ２１１Ｒ〜２１１Ｂ、２２１Ｒ〜２２１Ｂ、２３１Ｒ〜２３１Ｂ及びＡＯＭドライバ２１２Ｒ〜２１２Ｂ、２２２Ｒ〜２２２Ｂ、２３２Ｒ〜２３２Ｂに対して転送開始信号を出力する。画像処理部２０３は、転送開始信号が出力される毎に順次１ライン分の画素信号をラインメモリ２１１Ｒ〜２１１Ｂ、２２１Ｒ〜２２１Ｂ、２３１Ｒ〜２３１Ｂから読み出すものである。
【００３６】
画像入力部４００は前述したように、フィルムの画像を光学的に読み取る装置、あるいは外部メモリ等から画像データを取得するネットワーク部を想定したものである。
【００３７】
画像処理部２０３は、画像入力部４００から入力されるプリント対象の各画像を主走査方向において、レーザ露光部１１、１２、１３がそれぞれ分担する予め設定された各走査域に対応して３区分に分割する。そして複数のレーザ露光部が、第１の方向である主走査方向の走査領域に対し、露光ビームを分担して周期的に走査するように構成されている。
【００３８】
図３は、画像処理及び露光処理部分の機能ブロック図である。画像入力部４００は前述したように、フィルムの画像を光学的に読み取る装置、あるいは外部メモリ等から画像データを取得するネットワーク部を想定したものである。
【００３９】
また、レーザ光源１１０Ｒ〜１１０Ｂ、１２０Ｒ〜１２０Ｂ、１３０Ｒ〜１３０Ｂ及びＡＯＭ１１１Ｒ〜１１１Ｂ、１２１Ｒ〜１２１Ｂ、１３１Ｒ〜１３１Ｂはそれぞれに設定された環境温度下でレーザ光の出力が等しくなる、設定露光量に設計されている。
【００４０】
画像処理部２０３は、画像入力部４００から画像保存部４０２を介して入力されるプリント対象の各画像を主走査方向において、レーザ露光部１１、１２、１３がそれぞれ分担する予め設定された各走査域に対応して３区分に分割する露光領域決定部２０３１と、分割された各画像に対して、分割領域のつなぎ目に対して画像データの濃度値を所定のシェーディング係数で補正し、補正後の各画像データをそれぞれのメモリ部分に一時的に記憶するものである。なお、露光領域決定部２０３１は、各レーザ露光部１１、１２、１３を用いて主走査方向に所定ドット分だけ予め一部重複させるように設定されたものである。画像入力部４００から画像保存部４０１を介して転送されてきた画像データは、この露光領域決定部２０３１からの分担領域情報にしたがって画処理部２０３２で３分割される。
【００４１】
画像転送部２１０は、画像処理部２０３で処理された画像データをレーザ露光部１１、１２、１３に同期して出力するものであり、タイミング制御部２４０からのクロック信号を受けて、ラインメモリ２１１Ｒ〜Ｂ、２２１Ｒ〜Ｂ、２３１Ｒ〜Ｂからなる画像転送部２１０において１ライン分の各色の画像データを、順次１画素ずつ各レーザ露光部１１、１２、１３に同期して出力する。
【００４２】
ここで、図４を参照しながら、判定処理部２４５（判断手段）による露光ビームの走査タイミングの検出処理について説明する。図４は、画像プリントの直前からプリント開始直後における露光ビーム、同期センサ出力及び画像出力の状況を説明するためのタイムチャートである。
【００４３】
図４に示すように、走査タイミングの検出処理は以下のように、本実施形態では、画像露光動作の都度の直前に行われる。端末機３０から画像プリントの指示があると、画像処理部２０３から各レーザ露光部１１、１２、１３に対して走査タイミング検出用の、すなわち少なくとも同期センサ１１７、１２７、１３７で受光（検出）可能なタイミング及び所要幅を有する所定レベルの検査用レーザ光Ｓ１１、Ｓ１２、Ｓ１３用の信号を出力する。検査用レーザ光Ｓ１１、Ｓ１２、Ｓ１３は回転中の各ポリゴンミラー１１５、１２５、１３５の各反射面で順次反射され、コンベア２上で主走査方向に走査させられる。同期センサ１１７、１２７、１３７はこれらの検査用レーザ光Ｓ１１、Ｓ１２、Ｓ１３を受光し、検出信号Ｄ１１、Ｄ１２、Ｄ１３として出力する。図２に示す判定部２４５（判断手段）は、先ず、所定のレーザ露光部、ここではレーザ露光部１１のポリゴンミラー１１５の隣接する反射面からの検査用レーザ光Ｓ１１に基づく検出信号Ｄ１１の検出時間間隔（周期）Ｔ１を計測し、次いで、検出信号Ｄ１１の発生時点から、他の検出用レーザ光に基づく検知信号の発生時点までの時間を計測する。本実施形態では、検出信号Ｄ１１発生後、検査用レーザ光Ｓ１２に基づく検出信号Ｄ１２が発生し、さらに、検出信号Ｄ１２発生後、検査用レーザ光Ｓ１３に基づく検出信号Ｄ１３が発生している。これらの各時間差をＴ１２、Ｔ１３とする。判定部２４５は、周期Ｔ１及び検出時間差Ｔ１２、Ｔ１３から、Ｔ１２、Ｔ１３と（Ｔ１×１／２）の大小比較を行う。本実施形態では、Ｔ１２は（Ｔ１×１／２）より小さく（すなわち周期の前半に検出された）、Ｔ１３は（Ｔ１×１／２）より大きい（すなわち周期の後半に検出された）ことが判定される。
【００４４】
判定部２４５は、画像処理部２０３に対して、３分割された各分担領域の画像データのうち、レーザ露光部１２のラインメモリ２２１Ｒ〜２２１Ｂに出力する画像データは露光部１１のラインアドレスと同一となるように、レーザ露光部１３のラインメモリ２３１Ｒ〜２３１Ｂに出力する画像データは露光部１１のラインアドレスより１アドレス分早いアドレスとなるように、読出用アドレスを調整するための指示を読出用アドレス情報として出力する。画像処理部２０３の画処理部２０３２は、内部の読出用アドレス生成部２０３２ａに対して、判定処理部２４５から送られてきた各ラインアドレスについての読出用アドレス情報から各分担領域の各画像データに対する読出用アドレスを設定する。ここではラインアドレスが“１”から開始するとして、ラインメモリ２１１Ｒ〜２１１Ｂ、２２１Ｒ〜２２１Ｂに対しては、“０”からとし、ラインメモリ２３１Ｒ〜２３１Ｂに対しては、“１”からとする。図４に示すように、時間ｔ０で、画像プリント動作の開始が許可されると、画像処理部２０３の内部メモリからは、検出信号Ｄ１３に基づくラインメモリ２３１Ｒ〜２３１Ｂに対して１ライン目の画像データが読み出され、次いで検出信号Ｄ１１、Ｄ１２に基づくラインメモリ２１１Ｒ〜２１１Ｂ、２２１Ｒ〜２２１Ｂに対してそれぞれ１ライン目の画像データが読み出される。
【００４５】
なお、この関係を、レーザ露光部１１、１２、１３の立場で見ると、次の周期では、検出信号Ｄ１１に基づくラインメモリ２１１Ｒ〜２１１Ｂに対して１ライン目の画像データが読み出され、次いで検出信号Ｄ１２に基づくラインメモリ２１１Ｒ〜２１１Ｂに対して１ライン目の画像データが読み出され、検出信号Ｄ１３に基づくラインメモリ２３１Ｒ〜２３１Ｂに対して２ライン目の画像データが読み出されていることになる。
【００４６】
このように、本実施形態では、判定部２４５によって検出タイミングが走査基準の周期Ｔ１の後半であると判断されたとき、タイミング制御部２４０が、変調のための画像データを１走査線分だけずらして出力させるように構成されている。
【００４７】
図５は、感光材片Ｐ１の位置の検出を行うペーパー位置センサ２ｃが感光材片Ｐ１の位置の検出を行う前に、判定部２４５が時間差Ｔ１２、Ｔ１３を判断する時のレーザ露光部１１、１２、１３による各走査線間のずれＤ１、Ｄ２を示す説明図であり、図６はペーパー位置センサ２ｃが、感光材片Ｐ１の位置の検出を行った後の画像データの出力タイミングの調整によって実質的に補正されたラインのずれＤ１´、Ｄ２´を示す説明図である。これら図５と図６とにおいて、ラインに付された記号Ｎ、Ｎ＋１、Ｎ＋２は、それぞれ基準となるレーザ露光部１１のＮ番目、Ｎ＋１番目、Ｎ＋２番目のラインに対応したラインであることを示している。
【００４８】
基準となるレーザ露光部１１のラインの間隔がＤの場合、図５においては、レーザ露光部１２、１３によるラインのずれＤ１、Ｄ２は、Ｄ１＜Ｄ／２、Ｄ２＞Ｄ／２であり、図６においては、レーザ露光部１２、１３による補正されたラインのずれＤ１´、Ｄ２´は、Ｄ１´＜Ｄ／２、Ｄ２´＜Ｄ／２となっている。
【００４９】
このように、本実施形態では、一方のレーザ露光部１１の露光ビームの走査基準の一周期Ｔに対して他方のレーザ露光部であるレーザ露光部１２、１３の露光ビームの検出タイミングが走査基準の一周期Ｔの前半か後半かを判断して、基準のラインに対して直後のラインで出力するか、直前のラインで出力するかを制御するだけでずれ量を１／２ライン以内にすることができるので、製造に係るコストの大幅な増大を引き起こすことなく、また、煩雑な調整やメンテナンスを行うことなく、一部重複域において、露光ビームのラインのずれを低減することができるようになる。
【００５０】
なお、本発明は、以下の態様が採用可能である。
【００５１】
すなわち、基準となるレーザ露光部は、必ずしもレーザ露光部１１に限定されず、レーザ露光部１１、１２、１３のいずれに設定されてもよい。
【００５２】
また、走査タイミングの検出ずれ調整処理は、画像プリントの時に限らず、写真処理装置１の製造終了後の最終調整時や、出荷後の初期セット時、あるいは電源ＯＮ時、さらには作業者の所望の時（端末部３０からの指示を受けて）のいずれでもよい。
【００５３】
また、ラインメモリは２ライン分有し、かつ画像処理部からの１ライン分のデータが各ラインに交互に転送されるようにすると共に、転出を反対側の１ライン側から行うようにすることが処理効率上好ましい。また、分担するレーザ露光部１１、１２、１３の台数は３台に限定されず、２台でもよく、あるいは４台又はそれ以上の所定台数であってもよく、任意のタイプが採用可能である。また、レーザ露光ユニット１０は、各レーザ露光部１１、１２、１３を共通の筐体内に収納する態様でもよい。
【図面の簡単な説明】
【００５４】
【図１】本発明に係る画像形成装置の一実施形態を示す写真処理装置の全体構成図である。
【図２】レーザ露光ユニットの構成の一例を示す図である。
【図３】画像処理及び露光処理部分の機能ブロック図である。
【図４】タイミング制御部と判定部による露光ビームの走査タイミングを示すタイムチャートである。
【図５】感光材片の位置の検出を行うペーパー位置センサが感光材片の位置の検出を行う前に、判定部が時間遅れを判断する時の各レーザ露光部によるラインのずれを示す説明図である。
【図６】ペーパー位置センサが感光材片の位置の検出を行った後の補正されたラインのずれを示す説明図である。
【符号の説明】
【００５５】
１  写真処理装置（画像形成装置）
１１、１２、１３  レーザ露光部
１１４  ポリゴンドライバ
１１５  ポリゴンミラー
１１７、１２７、１３７  同期センサ
２４５  判定部（判断手段）
２４０  タイミング制御部（タイミング制御手段）
Ｔ１  検出時間間隔（走査基準の一周期）
【図１】
2008207524.tif 000003
【図２】
2008207524.tif 000004
【図３】
2008207524.tif 000005
【図４】
2008207524.tif 000006
【図５】
2008207524.tif 000007
【図６】
2008207524.tif 000008